(57)【要約】【課題】燃料電池が過負荷状態になることを防ぐ。【解決手段】燃料電池１０２の定格電力Ｐｒは、負荷１０４の消費電力Ｐｌｏａｄよりは大きいが、負荷１０４の消費電力Ｐｌｏａｄと蓄電池１０３の充電電力との合計電力よりは小さい。制御装置１０は、燃料電池１０２がバスＢに供給する燃料電池電力Ｐｆｃの大きさが定格電力Ｐｒを上回らないように、蓄電池１０３の充電を制御する。【選択図】図１
2019201481.tif 000002
【特許請求の範囲】
【請求項１】
負荷に直流電力を供給するためのバスと、
商用電源の交流電力を直流電力に変換し、変換した直流電力を前記バスに供給する整流器と、
前記商用電源の停電が発生すると、前記バスに直流電力を供給するために起動する燃料電池と、
前記バスからの直流電力を充電可能であり、且つ、前記バスに直流電力を放電可能な蓄電池と、
前記蓄電池の前記充電を制御する制御装置と、
を備え、
前記燃料電池の定格電力は、前記負荷の消費電力よりは大きいが、前記負荷の消費電力と前記蓄電池の充電電力との合計電力よりは小さく、
前記制御装置は、前記燃料電池が前記バスに供給する直流電力の大きさが前記定格電力を上回らないように、前記蓄電池の充電を制御する、
直流電源システム。
【請求項２】
前記制御装置は、前記商用電源の停電時、前記蓄電池の電圧が前記バスの電圧よりも低い場合に、前記蓄電池の充電を禁止する、
請求項１に記載の直流電源システム。
【請求項３】
前記商用電源の復電により前記商用電源からの交流電力が再び利用できるようになった場合、
前記制御装置は、停電期間が所定期間以上の場合には前記燃料電池を停止し、停電期間が前記所定期間未満の場合には停電期間が前記所定期間以上になるまで待ってから前記燃料電池を停止する、
請求項１又は２に記載の直流電源システム。
【請求項４】
前記商用電源の復電により前記商用電源からの交流電力が再び利用できるようになった場合、
前記制御装置は、前記蓄電池の充電を許可する、
請求項１〜３のいずれか一項に記載の直流電源システム。
【発明の詳細な説明】
【技術分野】
【０００１】
本発明は、直流電源システムに関する。
【背景技術】
【０００２】
無線基地局等の設備には、負荷に直流電力を供給するための直流電源システムが設けられる。例えば特許文献１の電源システムは、停電時に負荷に電力を供給するための燃料電池を備えている。
【先行技術文献】
【特許文献】
【０００３】
【特許文献１】特開２０１４−１７５２５０号公報
【発明の概要】
【発明が解決しようとする課題】
【０００４】
燃料電池に加えて蓄電池を併用する電源システムも考えられる。例えば図８に示されるような電源システムによれば、商用電源５１Ｅの交流電力を整流器１０１Ｅで直流電力に変換して負荷１０４Ｅに供給するだけでなく、燃料電池１０２Ｅ及び／又は蓄電池１０３Ｅの直流電力を負荷１０４Ｅに供給することもできる。停電発生時に商用電源５１Ｅの交流電力が利用できなくなる（送電が止まる）と、燃料電池１０２Ｅが起動するまでは蓄電池１０３Ｅから負荷１０４Ｅに直流電力が供給され、燃料電池１０２Ｅの起動後は、燃料電池１０２Ｅから負荷１０４Ｅに直流電力が供給される。
【０００５】
燃料電池１０２Ｅの出力電圧が蓄電池１０３Ｅの出力電圧よりも大きい場合、燃料電池１０２Ｅの直流電力によって蓄電池１０３Ｅが充電される。この場合、燃料電池１０２Ｅは、負荷１０４Ｅの消費電力に加えて蓄電池１０３Ｅの充電電力も供給しなければならない。燃料電池１０２Ｅの定格電力（定格容量）が負荷１０４Ｅの消費電力（負荷容量）よりもわずかに大きいと、例えば図９に示されるように、燃料電池１０２Ｅが出力する直流電力（燃料電池出力）が定格電力を上回ってしまう。このような燃料電池１０２Ｅの過負荷状態が続くと、燃料電池１０２Ｅの寿命が短くなったり、燃料電池１０２Ｅの出力電圧及び燃料電池１０２Ｅによる電力供給が不安定になったりするという懸念がある。
【０００６】
本発明は、燃料電池が過負荷状態になることを防ぐことを目的とする。
【課題を解決するための手段】
【０００７】
本発明の一態様に係る直流電源システムは、負荷に直流電力を供給するためのバスと、商用電源の交流電力を直流電力に変換し、変換した直流電力をバスに供給する整流器と、商用電源の停電が発生すると、バスに直流電力を供給するために起動する燃料電池と、バスからの直流電力を充電可能であり、且つ、バスに直流電力を放電可能な蓄電池と、蓄電池の充電を制御する制御装置と、を備え、燃料電池の定格電力は、負荷の消費電力よりは大きいが、負荷の消費電力と蓄電池の充電電力との合計電力よりは小さく、制御装置は、燃料電池がバスに供給する直流電力の大きさが定格電力を上回らないように、蓄電池の充電を制御する。
【０００８】
上記の直流電源システムでは、通常は、整流器の直流電力が、バスを介して負荷に供給される。商用電源の停電が発生して商用電源の交流電力が利用できなくなると、代わりに燃料電池が起動して、燃料電池の直流電力がバスを介して負荷に供給される。燃料電池が起動するまでの間は、蓄電池の直流電力がバスを介して負荷に供給される。ここで、燃料電池の定格電力は、負荷の消費電力よりは大きいが、負荷の消費電力と蓄電池の充電電力との合計電力よりは小さい。この場合、前述のように燃料電池が負荷の消費電力に加えて蓄電池の充電電力も供給すると、燃料電池がバスに供給する直流電力が燃料電池の定格電力を上回る過負荷状態になる可能性がある。上記の直流電源システムでは、制御装置が、燃料電池がバスに供給する直流電力の大きさが定格電力を上回らないように、蓄電池の充電を制御する。したがって、燃料電池が過負荷状態になることを防ぐことができる。
【発明の効果】
【０００９】
本発明の一態様によれば、燃料電池が過負荷状態になることを防ぐことができる。
【図面の簡単な説明】
【００１０】
【図１】直流電源システムの概略構成を示す図である。
【図２】制御装置のブロック図の例を示す図である。
【図３】燃料電池のブロック図の例を示す図である。
【図４】蓄電池のブロック図の例を示す図である。
【図５】直流電源システムにおいて実行される処理の例を示すフローチャートである。
【図６】直流電源システムの動作の例を示す図である。
【図７】制御装置のハードウェア構成の例を示す図である。
【図８】検討例の直流電源システムの構成の例を示す図である。
【図９】検討例の直流電源システムの動作を示す図である。
【発明を実施するための形態】
【００１１】
以下、本発明の実施形態について、図面を参照しながら説明する。なお、図面中、同一要素には同一符号を付し、重複する説明は省略する。
【００１２】
図１は、実施形態に係る直流電源システム１の概略構成を示す。直流電源システム１は、負荷１０４に直流電力を供給する。負荷１０４の例は、無線基地局等に接地無線通信ネットワークを構成するため使用される通信装置である。負荷１０４が消費する電力を、消費電力Ｐｌｏａｄと称し図示する。負荷１０４は、消費電力Ｐｌｏａｄの大きさが一定となる（経時変化しない）ように定められてよい。直流電源システム１は、商用電源（商用電力網）５１の交流電力を直流電力に変換して、負荷１０４に供給する。なお、図において、各要素間の電力経路が太線で示される。各要素間の信号経路が破線で示される。以下、直流電源システム１の構成要素を説明する。
【００１３】
直流電源システム１は、整流器１０１を含む。整流器１０１は、商用電源５１の交流電力Ｐａｃを直流電力に変換し、変換した直流電力をバスＢに供給する。整流器１０１がバスＢに供給する直流電力を、整流電力Ｐｄｃと称し図示する。整流電力Ｐｄｃが有する電圧を、整流電圧Ｖｄｃと称し図示する。
【００１４】
直流電源システム１は、バスＢを含む。バスＢは、負荷１０４に直流電力を供給するための直流バスであり、この例では、整流器１０１と負荷１０４とを直接接続する電力線である。バスＢの電圧をバス電圧Ｖｂｕｓと称し図示する。バスＢには、整流器１０１及び負荷１０４の他に、後述の電圧測定器２０、燃料電池１０２及び蓄電池１０３も接続される。
【００１５】
直流電源システム１は、電圧測定器２０を含む。電圧測定器２０は、バス電圧Ｖｂｕｓを常時測定（監視）する。電圧測定器２０は、バスＢに接続される。電圧測定器２０とバスＢとの接続箇所をノードＮ１と称し図示する。電圧測定器２０によって監視されるバス電圧Ｖｂｕｓは、電圧監視信号ＣＳ１として制御装置１０に送信される。
【００１６】
直流電源システム１は、制御装置１０を含む。制御装置１０は、バス電圧Ｖｂｕｓを取得する。バス電圧Ｖｂｕｓの取得は、上述の電圧測定器２０からの電圧監視信号ＣＳ１を受信することによって行われる。電圧監視信号ＣＳ１は常時受信されていてよく、これにより、制御装置１０は、バス電圧Ｖｂｕｓの変化に応じて、迅速な制御を行える。
【００１７】
制御装置１０は、燃料電池１０２を制御する。燃料電池１０２の制御の例は、燃料電池１０２の起動制御及び停止制御である。図１に示される例では、燃料電池１０２の制御には、制御信号ＣＳ２が用いられる。制御信号ＣＳ２は、制御装置１０から燃料電池１０２へ送信される。燃料電池１０２の詳細については、後に図３を参照して説明する。
【００１８】
制御装置１０は、蓄電池１０３を制御する。蓄電池１０３の制御例は、蓄電池１０３の充電制御及び放電制御である。図１に示される例では、蓄電池１０３の制御には、通信信号ＣＳ３が用いられる。通信信号ＣＳ３は、制御装置１０と蓄電池１０３との間で送受信される。蓄電池１０３の詳細については、後に図４を参照して説明する。
【００１９】
図２は、制御装置１０のブロック図の例を示す。制御装置１０は、制御装置信号受信部２０１と、演算部２０２と、制御装置信号送信部２０３とを含む。
【００２０】
制御装置信号受信部２０１は、電圧測定器２０からの電圧監視信号ＣＳ１を受信することによって、バス電圧Ｖｂｕｓを取得する。取得されたバス電圧Ｖｂｕｓは、演算部２０２へ送られる。
【００２１】
演算部２０２は、燃料電池１０２及び蓄電池１０３への指令内容を決定する。指令内容はバス電圧Ｖｂｕｓに基づいて決定されてよく、これについては後に説明する。燃料電池１０２への指令の例は、燃料電池１０２を起動するための起動指令、燃料電池１０２を停止するための停止指令である。蓄電池１０３への指令の例は、蓄電池１０３を充電状態又は放電状態にするための充放電許可指令、及び、蓄電池１０３を待機状態にするための待機指令（充電停止指令又は放電停止指令とも言える）である。演算部２０２が決定した指令内容は、制御装置信号送信部２０３に送られる。
【００２２】
制御装置信号送信部２０３は、指令内容に応じた制御指令信号を生成し、燃料電池１０２及び蓄電池１０３に送信する。燃料電池１０２への制御指令信号は、制御信号ＣＳ２として送信される。蓄電池１０３への制御指令信号は、通信信号ＣＳ３として送信される。
【００２３】
制御装置１０のさらなる制御については、次の燃料電池１０２及び蓄電池１０３の説明の後で改めて説明する。
【００２４】
図１に戻り、直流電源システム１は、燃料電池１０２を含む。燃料電池１０２は、停電時に整流器１０１の代わりにバスＢを介して負荷１０４に直流電力を供給する電源（第１のバックアップ用電源）として用いられる。燃料電池１０２は、バスＢに接続される。燃料電池１０２とバスＢとの接続箇所を、ノードＮ２と称し図示する。燃料電池１０２は、停電が発生していない時は、基本的には停止している。燃料電池１０２は、商用電源５１の停電が発生して商用電源５１の交流電力Ｐａｃが利用できなくなると、バスＢに直流電力を供給するために起動するように制御される。この制御は、制御装置１０からの制御信号ＣＳ２に応じて行われる。燃料電池１０２がバスＢに供給する直流電力を、燃料電池電力Ｐｆｃと称し図示する。燃料電池電力Ｐｆｃが有する電圧を、燃料電池電圧Ｖｆｃと称し図示する。燃料電池１０２において、燃料電池電圧Ｖｆｃは一定の電圧になるように制御される。換言すれば、燃料電池１０２の燃料電池電圧Ｖｆｃは可変とはなっていない。
【００２５】
燃料電池１０２には、定格電力Ｐｒが定められる。定格電力Ｐｒは、燃料電池１０２が想定している最大負荷電力である。想定される負荷は負荷１０４であり、燃料電池１０２の定格電力Ｐｒは、負荷１０４の消費電力Ｐｌｏａｄよりもわずかに（例えば数パーセント〜十数パーセントだけ）大きい。さらに言うと、燃料電池１０２の定格電力Ｐｒは、負荷１０４の消費電力Ｐｌｏａｄよりは大きいが、負荷１０４の消費電力Ｐｌｏａｄと蓄電池１０３の充電電力との合計電力よりは小さい。燃料電池１０２の燃料電池電力Ｐｆｃが定格電力Ｐｒを上回ると、燃料電池１０２が過負荷状態（過負荷運転）となり、燃料電池１０２の寿命が低下するといった問題が生じる。また、燃料電池１０２が短期間で起動及び停止を繰り返すことによっても、燃料電池１０２の寿命が低下する。
【００２６】
図３は、燃料電池１０２のブロック図の例を示す。燃料電池の種類、詳細構成及び詳細動作等は公知であるのでここでは説明しない。図３に示される例では、燃料電池１０２は、発電部２０４と、燃料電池信号受信部２０５と、燃料供給部２０６と、燃料保管部２０７とを含む。
【００２７】
燃料電池信号受信部２０５は、制御装置１０からの制御信号ＣＳ２を受信することによって、燃料電池１０２への制御指令（起動指令及び停止指令）を受信する。受信した制御指令は、発電部２０４へ送られる。起動指令を受けると、発電部２０４は、燃料供給部２０６から供給される燃料を利用して電力の生成（発電）を開始する。発電部２０４の発電電力が、燃料電池電力Ｐｆｃとなる。停止指令を受けると、発電部２０４は、発電を停止する。
【００２８】
図１に戻り、直流電源システム１は、蓄電池１０３をさらに含む。蓄電池１０３は、停電時に燃料電池１０２が起動するまでの間、燃料電池１０２の代わりにバスＢを介して負荷１０４に供給する電源（第２のバックアップ用電源）として用いられる。蓄電池１０３は、バスＢに接続されている。蓄電池１０３とバスＢとの接続箇所をノードＮ３と称し図示する。蓄電池１０３は、バスＢからの直流電力を充電可能であり、且つ、バスＢに直流電力を放電可能である。蓄電池１０３の充放電電力を電池電力Ｐｂｔと称し図示する。蓄電池１０３の電圧を、電池電圧Ｖｂｔと称し図示する。電池電圧Ｖｂｔは、整流器１０１の整流電圧Ｖｄｃよりも低い。これにより、整流器１０１の整流電力Ｐｄｃによって、蓄電池１０３を充電することができる。また、電池電圧Ｖｂｔは、燃料電池電圧Ｖｆｃとほぼ同じ大きさであってよい。ただし、電池電圧Ｖｂｔは蓄電池１０３の充電率（ＳＯＣ：State of Charge）等によって変化するので、蓄電池１０３のＳＯＣが低いときには、電池電圧Ｖｂｔは燃料電池電圧Ｖｆｃを下回る場合がある。
【００２９】
図４は、蓄電池１０３のブロック図の例を示す。蓄電池の種類、詳細構成及び詳細動作等は公知であるのでここでは説明しない。図４に示される例では、０３は、蓄電制御部２０８と、蓄電池信号受信部２０９、蓄電部２１０と、蓄電池信号送信部２１１とを含む。
【００３０】
蓄電制御部２０８は、蓄電池１０３の状態を制御する。この制御は、制御装置１０からの制御指令（充放電許可指令及び待機指令）に応じて行われる。蓄電池１０３の状態の制御手法はとくに限定されないが、次のような手法が用いられてよい。
【００３１】
例えば図示しないスイッチがバスＢのノードＮ３と蓄電池１０３の蓄電部２１０との間に設けられており、このスイッチを蓄電制御部２０８が開閉することによって、蓄電池１０３の状態が制御される。スイッチを開くと、バスＢと蓄電部２１０とが電気的に分離される。これにより、蓄電池１０３を待機状態に制御できる。蓄電池１０３の充電及び放電を禁止できるとも言える。スイッチを閉じると、バスＢと蓄電部２１０とが直接接続される。これにより、バス電圧Ｖｂｕｓが電池電圧Ｖｂｔよりも大きいと蓄電池１０３が充電状態となり、電池電圧Ｖｂｔがバス電圧Ｖｂｕｓよりも大きいと蓄電池１０３は放電状態となる。すなわち、蓄電池１０３を充電状態又は放電状態に制御できる。蓄電池１０３の充電及び放電を許可できるとも言える。なお、スイッチは、物理的なスイッチ（リレー等）であってもよいし、半導体デバイスを利用したスイッチであってもよい。
【００３２】
また、蓄電制御部２０８は、蓄電池１０３の電池電圧Ｖｂｔ、蓄電池１０３のＳＯＣを常時測定（監視）する。蓄電池の電圧及びＳＯＣを監視する手法は公知であるので、ここでは説明は省略する。
【００３３】
蓄電池信号受信部２０９は、制御装置１０からの通信信号ＣＳ３を受信することによって、蓄電池１０３への制御指令（充放電許可指令及び待機指令）を受信する。受信した制御指令は、蓄電制御部２０８へ送られる。
【００３４】
蓄電池信号送信部２１１は、蓄電池１０３の電池電圧Ｖｂｔ及びＳＯＣの情報を蓄電制御部２０８から受け取り、これらの情報を通信信号ＣＳ３として制御装置１０に送信する。
【００３５】
再び図１及び図２を参照して、制御装置１０の制御についてさらに説明する。制御装置１０は、次に説明するように、バス電圧Ｖｂｕｓの情報に基づいてさまざまな判断、制御等を行う。
【００３６】
演算部２０２は、バス電圧Ｖｂｕｓの情報に基づいて、停電が発生しているか否かを判断する。この判断には、例えば予め定められた閾値電圧Ｖｐｆ（power failure）が用いられる。演算部２０２は、バス電圧Ｖｂｕｓが予め定められた閾値電圧Ｖｐｆ未満であるか否かを判断し、その判断結果に基づいて、停電が発生しているか否かを判断する。閾値電圧Ｖｐｆは、整流器１０１の整流電圧Ｖｄｃより低い電圧に設定される。すなわち、商用電源５１の交流電力Ｐａｃが利用可能であり整流器１０１が整流電力ＰｄｃをバスＢに供給しているときには、バス電圧Ｖｂｕｓは閾値電圧Ｖｐｆ以上であり、この場合、演算部２０２は、停電が発生していないと判断する。一方、停電が発生して整流器１０１が整流電力ＰｄｃをバスＢに供給しなくなると、バス電圧Ｖｂｕｓが低下して閾値電圧Ｖｐｆ未満となり、この場合、演算部２０２は、停電が発生していると判断する。閾値電圧Ｖｐｆは、燃料電池１０２の燃料電池電圧Ｖｆｃ及び満充電時の蓄電池１０３の電池電圧Ｖｂｔより高い電圧に設定される。これにより、停電時に燃料電池１０２及び／又は蓄電池１０３がバスＢに電池電力Ｐｂｔ及び／又は燃料電池電力Ｐｆｃを供給しているときには、バス電圧Ｖｂｕｓが閾値電圧Ｖｐｆ未満となるので、演算部２０２は、停電が発生した又は停電が継続していると判断することもできる。
【００３７】
演算部２０２は、バス電圧Ｖｂｕｓが閾値電圧Ｖｐｆ未満となった場合に、停電が発生したと判断し、燃料電池１０２に起動指令を送信する。これにより、燃料電池１０２は、停電が発生したことに応じて、バスＢに燃料電池電力Ｐｆｃを供給するために起動する。
【００３８】
燃料電池１０２の起動後、制御装置１０は、燃料電池１０２を保護するために次のような制御を行う。
【００３９】
先に説明したように、燃料電池１０２の燃料電池電力Ｐｆｃが定格電力Ｐｒを上回ると、燃料電池１０２が過負荷状態となり、燃料電池１０２の寿命が低下するといった問題が生じ得る。そこで、制御装置１０の演算部２０２は、燃料電池１０２がバスＢに供給する燃料電池電力Ｐｆｃの大きさが定格電力Ｐｒを上回らないように、蓄電池１０３の充電を制御する。例えば電池電圧Ｖｂｔがバス電圧Ｖｂｕｓ（停電時には燃料電池電圧Ｖｆｃになる）よりも低い場合、演算部２０２は、充電停止指令を蓄電池１０３に送信し、蓄電池１０３の充電を禁止する。これにより、燃料電池１０２が蓄電池１０３を充電することを防ぎ、したがって、燃料電池１０２が過負荷状態になることを防ぐことができる。
【００４０】
先に説明したように、燃料電池１０２が短期間で起動及び停止を繰り返すと、燃料電池１０２の寿命が短くなりやすい。例えば短期間で停電が繰り返し発生する場合等に、この問題が顕在化する。そこで、制御装置１０の演算部２０２は、燃料電池１０２が起動してから停止するまでの期間が予め定められた所定期間Ｔを下回らないように、燃料電池１０２の停止を制御する。具体的に、演算部２０２は、演算部２０２は、停電が発生した時から（燃料電池１０２が起動した時からでもよい）経過した期間を停電期間として記録（計測）する。商用電源５１の復電により商用電源５１からの交流電力Ｐａｃが再び利用できるようになった場合、演算部２０２は、停電時から復電時までの期間が所定期間Ｔ以上の場合には、停止指令を燃料電池１０２に送信し、燃料電池１０２を停止する。演算部２０２は、停電期間が所定期間Ｔ未満の場合には停電期間が所定期間Ｔ以上になるまで待ってから燃料電池１０２を停止する。所定期間Ｔは、例えば２時間程度であってよい。
【００４１】
復電後は、整流器１０１の整流電力Ｐｄｃ及び燃料電池１０２の燃料電池電力Ｐｆｃの両方がバスＢに供給される。燃料電池電力Ｐｆｃだけでなく整流電力Ｐｄｃも供給されるので、燃料電池電力Ｐｆｃが定格電力Ｐｒ未満でも、負荷１０４の消費電力Ｐｌｏａｄ及び蓄電池１０３の充電電力を賄うことが可能である。すなわち、蓄電池１０３を充電状態にしても、燃料電池１０２が過負荷状態になることはない。したがって、制御装置１０の演算部２０２は、蓄電池１０３が満充電（ＳＯＣ＝１００％）でなければ、蓄電池１０３を充電状態に制御してもよい。
【００４２】
図５は、直流電源システム１において実行される処理（直流電源システム１の制御方法）の例を示すフローチャートである。
【００４３】
ステップＳ１及びＳ２の処理は、停電が発生しているか否かを判断するために実行される。具体的に、制御装置１０の制御装置信号受信部２０１は、電圧測定器２０からバス電圧Ｖｂｕｓを受信する（ステップＳ１）。また、制御装置信号受信部２０１は、受信したバス電圧Ｖｂｕｓを、演算部２０２に送信する（受け渡す）。演算部２０２は、バス電圧Ｖｂｕｓが閾値電圧Ｖｐｆ未満であるか否かを判断する（ステップＳ２）。バス電圧Ｖｂｕｓが閾値電圧Ｖｐｆ未満の場合（ステップＳ２：ＹＥＳ）、ステップＳ３に処理が進められる。そうでない場合（ステップＳ２：ＮＯ）、ステップＳ９に処理が進められる。
【００４４】
ステップＳ３〜Ｓ５の処理は、燃料電池１０２を起動するために実行される。具体的に、制御装置１０の演算部２０２は、バス電圧Ｖｂｕｓが閾値電圧Ｖｐｆ未満まで低下しているので停電状態であると判断する（ステップＳ３）。さらに、演算部２０２は、燃料電池１０２が起動状態であるか否かを判断する（ステップＳ４）。燃料電池１０２が起動状態でない場合には（ステップＳ４：ＮＯ）、演算部２０２は、制御装置１０の制御装置信号送信部２０３及び燃料電池１０２の燃料電池信号受信部２０５を介して、燃料電池１０２の発電部２０４に起動指令を送信する（ステップＳ５）。これを受けて、燃料電池１０２の発電部２０４は、燃料供給部２０６から供給された燃料を利用して発電を開始する。燃料電池１０２がすでに起動状態である場合には（ステップＳ４：ＹＥＳ）、ステップＳ５の処理はスキップされる。
【００４５】
ステップＳ６〜Ｓ８の処理は、停電時に（燃料電池１０２の起動後に）蓄電池の充電を制御するために実行される。具体的に、制御装置１０の演算部２０２は、電池電圧Ｖｂｔがバス電圧Ｖｂｕｓ未満であるか否かを判断する（ステップＳ６）。電池電圧Ｖｂｔがバス電圧Ｖｂｕｓ未満の場合（ステップＳ６：ＹＥＳ）、演算部２０２は、制御装置信号送信部２０３及び蓄電池１０３の蓄電池信号受信部２０９を介して、蓄電制御部２０８に対して充電停止指令（待機指令）を送信する（ステップＳ７）。例えば先に説明したバスＢのノードＮ３と蓄電池１０３の蓄電部２１０との間のスイッチが開く。これにより、燃料電池１０２からバスＢを介して蓄電池１０３に直流電力が流れることを防止できる。電池電圧Ｖｂｔがバス電圧Ｖｂｕｓ以上の場合（ステップＳ６：ＮＯ）、演算部２０２は、蓄電制御部２０８に対して充電停止指令を送信しない。この場合、蓄電池１０３からバスＢを介して負荷１０４に直流電力が供給され得る。ステップＳ７またはＳ８の処理が完了した後、ステップＳ１に処理が戻される。
【００４６】
ステップＳ９〜Ｓ１３の処理は、燃料電池１０２の停止を制御するために実行される。具体的に、制御装置１０の演算部２０２は、バス電圧Ｖｂｕｓが閾値電圧Ｖｐｆ以上であるので商用電力が有る、すなわち停電が発生しておらず商用電源５１が利用可能であると判断する（ステップＳ９）。さらに、演算部２０２は、燃料電池１０２が起動状態であるか否かを判断する（ステップＳ１０）。燃料電池１０２が起動状態の場合（ステップＳ１０：ＹＥＳ）、演算部２０２は、復電したと判断し（ステップＳ１１）、燃料電池１０２が起動してから（停電が発生してからでもよい）所定期間Ｔが経過したか否かを判断する（ステップＳ１２）。所定期間Ｔが経過している場合（ステップＳ１２：ＹＥＳ）、演算部２０２は、制御装置信号送信部２０３及び燃料電池１０２の燃料電池信号受信部２０５を介して、発電部２０４に停止指令を送信する（ステップＳ１３）。これにより、燃料電池１０２の発電部２０４は発電を停止し、燃料電池１０２が停止する。一方、ステップＳ１０において燃料電池１０２が起動状態でない場合（ステップＳ１０：ＮＯ）、ステップＳ１１〜Ｓ１３の処理はスキップされる。また、ステップＳ１２において燃料電池１０２が起動してから所定期間Ｔが経過していない場合（ステップＳ１２：ＮＯ）、ステップＳ１３の処理がスキップされる。
【００４７】
ステップＳ１４〜Ｓ１６は、復電後の蓄電池１０３の充電を制御するための処理である。具体的に、制御装置１０の演算部２０２は、電池電圧Ｖｂｔがバス電圧Ｖｂｕｓ未満であるか否かを判断する。電池電圧Ｖｂｔがバス電圧Ｖｂｕｓ未満の場合（ステップＳ１４：ＹＥＳ）、演算部２０２は、蓄電池１０３のＳＯＣが１００％未満であるか否かを判断する（ステップＳ１５）。蓄電池１０３のＳＯＣが１００％未満の場合（ステップＳ１５：ＹＥＳ）、演算部２０２は、制御装置信号送信部２０３及び蓄電池１０３の蓄電池信号受信部２０９を介して、蓄電制御部２０８に対して充電指令（充電許可指令）を送信する（ステップＳ１６）。これを受けて、蓄電制御部２０８は蓄電部２１０が充電されるように制御する。例えば先に説明したバスＢのノードＮ３と蓄電池１０３の蓄電部２１０との間のスイッチが閉じる。電池電圧Ｖｂｔがバス電圧Ｖｂｕｓ以上の場合（ステップＳ１４：ＮＯ）は、ステップＳ１５及びＳ１６の処理はスキップされる。蓄電池１０３のＳＯＣが１００％の場合（ステップＳ１５：ＮＯ）、ステップＳ１６の処理がスキップされる。ステップＳ１６の処理が完了した後、ステップＳ１に処理が戻される。
【００４８】
なお、停電時の燃料電池１０２及び蓄電池１０３からの放電による燃料電池１０２の燃料及び蓄電池１０３の蓄電電力が枯渇する前に復電とならない（ステップＳ２：ＹＥＳが続く）場合は、燃料電池１０２の燃料及び蓄電池１０３の蓄電電力が枯渇するまで、ステップＳ３〜Ｓ８の処理が継続する。
【００４９】
図６は、直流電源システム１の動作の例を示す図である。各グラフの横軸はいずれも時刻を示す。一番上のグラフの縦軸は、バス電圧Ｖｂｕｓを示す。中央のグラフは、燃料電池１０２の燃料電池電力Ｐｆｃ（「燃料電池出力」としても図示）を示す。一番下のグラフは、燃料電池１０２のＳＯＣ（「蓄電池残量」としても図示）を示す。
【００５０】
時刻Ｔａより前の時刻では、停電が発生しておらず商用電源５１からの交流電力Ｐａｃが利用可能な状態にある。バスＢには整流器１０１からの整流電力Ｐｄｃが供給されており、バス電圧Ｖｂｕｓは閾値電圧Ｖｐｆよりも大きい整流電圧Ｖｄｃとなる。燃料電池１０２は停止状態にあり、燃料電池電力Ｐｆｃはゼロである。蓄電池１０３は充電状態にあり、ＳＯＣは上昇している。
【００５１】
時刻Ｔａにおいて、停電が発生する。バスＢに整流器１０１からの整流電力Ｐｄｃが供給されなくなるので、バス電圧Ｖｂｕｓが低下し始める。蓄電池１０３は放電状態となり、蓄電池１０３のＳＯＣは低下し始める。
【００５２】
時刻Ｔｂにおいて、バス電圧Ｖｂｕｓが閾値電圧Ｖｐｆを下回る。燃料電池１０２が起動しはじめ、燃料電池電力Ｐｆｃが上昇しはじめる。燃料電池１０２の燃料電池電力Ｐｆｃによって負荷１０４の消費電力Ｐｌｏａｄが賄えるようになるまでの間は、蓄電池１０３の放電電力によっても負荷１０４の消費電力Ｐｌｏａｄが賄われる。すなわち、燃料電池１０２と蓄電池１０３との双方から負荷１０４に電力が供給される。燃料電池１０２の出力電圧上昇に応じてバス電圧Ｖｂｕｓは下げ止まり少し回復するが、閾値電圧Ｖｐｆは上回らない。
【００５３】
なお、停電が発生した時刻Ｔａと、バス電圧Ｖｂｕｓが閾値電圧Ｖｐｆを下回ったことにより停電が発生したと判断される（燃料電池１０２が起動しはじめる）時刻Ｔｂとの間は非常に短く、実質的に同じ時刻とみなしてもよい。
【００５４】
時刻Ｔｃにおいて、燃料電池１０２の燃料電池電力Ｐｆｃが負荷１０４の消費電力Ｐｌｏａｄに到達し、バス電圧Ｖｂｕｓが安定する。燃料電池１０２の起動後、これまで説明したように、蓄電池１０３の充電が制御される。図６に示される例では蓄電池１０３のＳＯＣが低く電池電圧Ｖｂｔがバス電圧Ｖｂｕｓ未満であり、蓄電池１０３は充電を行わないように待機状態となる。蓄電池１０３の充電電力は発生しないので、燃料電池１０２は負荷１０４の消費電力Ｐｌｏａｄのみを供給すればよく、燃料電池電力Ｐｆｃが定格電力Ｐｒを上回ることはない。すなわち、先に図８及び図９を参照して説明した検討例に係る直流電源システムのように燃料電池出力が定格電力を上回ることが防止される。
【００５５】
時刻Ｔｄにおいて、復電となる。バスＢに整流器１０１からの整流電力Ｐｄｃが再び供給されるようになり、バス電圧Ｖｂｕｓが整流電圧Ｖｄｃに戻る。
【００５６】
図６に示される例では、停電期間（時刻Ｔａ又はＴｂから、時刻Ｔｄまでの期間）が所定期間Ｔ未満である。したがって、燃料電池１０２はすぐには停止状態にはならず、起動状態を継続する。
【００５７】
時刻Ｔｅにおいて、停電期間が所定期間Ｔ以上になる。燃料電池１０２は停止状態となり、燃料電池電力Ｐｆｃが低下しはじめる。蓄電池１０３の待機状態は解除される（充放電が許可される）。図６に示される例では蓄電池１０３の電池電圧Ｖｂｔがバス電圧Ｖｂｕｓ未満であり、蓄電池１０３が充電状態になる。時刻Ｔｆにおいて、蓄電池１０３が満充電となり、充電が完了する。
【００５８】
以上説明した直流電源システム１は、バスＢと、整流器１０１と、燃料電池１０２と、蓄電池１０３と、制御装置１０とを含む。バスＢは、負荷１０４に直流電力（消費電力Ｐｌｏａｄ）を供給する。整流器１０１は、商用電源５１の交流電力Ｐａｃを整流電力Ｐｄｃに変換し、バスＢに供給する。燃料電池１０２は、商用電源５１の停電が発生すると、バスＢに燃料電池電力Ｐｆｃを供給するために起動する（ステップＳ５、時刻Ｔｂ）。蓄電池１０３は、バスＢからの直流電力を充電可能であり、且つ、バスＢに直流電力を放電可能である。制御装置１０は、蓄電池１０３の充電を制御する。燃料電池１０２の定格電力Ｐｒは、負荷１０４の消費電力Ｐｌｏａｄよりは大きいが、負荷１０４の消費電力Ｐｌｏａｄと蓄電池１０３の充電電力との合計電力よりは小さい。制御装置１０は、燃料電池１０２がバスＢに供給する直流電力（燃料電池電力Ｐｆｃ）の大きさが定格電力Ｐｒを上回らないように、蓄電池１０３の充電を制御する（ステップＳ６〜Ｓ８、時刻Ｔｃ〜Ｔｄ）。
【００５９】
直流電源システム１では、通常は、整流器１０１の整流電力Ｐｄｃが、バスＢを介して負荷１０４に供給される（時刻Ｔａより前）。商用電源５１の停電が発生して商用電源５１の交流電力Ｐａｃができなくなると、代わりに燃料電池１０２が起動して、燃料電池１０２の燃料電池電力ＰｆｃがバスＢを介して負荷１０４に供給される（時刻Ｔａ〜Ｔｄ）。燃料電池１０２が起動するまでの間は、蓄電池１０３の電池電力ＰｂｔがバスＢを介して負荷１０４に供給される（時刻Ｔａ〜Ｔｃ）。したがって、停電が発生しても、バスＢから負荷１０４への直流電力（消費電力Ｐｌｏａｄ）の供給が途切れることはない。燃料電池１０２の定格電力Ｐｒは、負荷１０４の消費電力Ｐｌｏａｄよりは大きいが、負荷１０４の消費電力Ｐｌｏａｄと蓄電池１０３の充電電力との合計電力よりは小さい。この場合、燃料電池１０２が負荷１０４の消費電力Ｐｌｏａｄに加えて蓄電池１０３の充電電力も供給することで、燃料電池１０２がバスＢに供給する燃料電池電力Ｐｆｃが燃料電池１０２の定格電力を上回る過負荷状態になる可能性がある。そこで、直流電源システム１では、制御装置１０が、燃料電池１０２がバスＢに供給する燃料電池電力Ｐｆｃの大きさが定格電力を上回らないように、蓄電池１０３の充電を制御する（ステップＳ６〜Ｓ８、時刻Ｔｃ〜Ｔｄ）。したがって、燃料電池１０２が過負荷状態になることを防ぐことができる。その結果、燃料電池１０２の過負荷運転に起因する燃料電池１０２の寿命低下を防ぐことができる。
【００６０】
制御装置１０は、商用電源５１の停電時、電池電圧Ｖｂｔがバス電圧Ｖｂｕｓよりも低い場合に（ステップＳ６：ＹＥＳ）、蓄電池１０３の充電を禁止してよい（ステップＳ７、時刻Ｔｃ〜Ｔｄ）。これにより、蓄電池１０３がバスＢを介して燃料電池１０２の燃料電池電力Ｐｆｃによって充電される可能性がある場合に蓄電池１０３の充電を禁止して、燃料電池１０２が過負荷状態になることを防ぐことができる。
【００６１】
商用電源５１の復電により商用電源５１からの交流電力Ｐａｃが再び利用できるようになった場合（ステップＳ１１）、制御装置１０は、停電期間が所定期間Ｔ以上の場合には（ステップＳ１２：ＹＥＳ、時刻Ｔｅ）燃料電池１０２を停止し（ステップＳ１３）、停電期間が所定期間Ｔ未満の場合には（ステップＳ１２：ＮＯ、時刻Ｔｄ）停電期間が所定期間Ｔ以上になるまで待ってから燃料電池１０２を停止してもよい（ステップＳ１３、時刻Ｔｅ）。これにより、例えば短期間で停電が繰り返し発生する場合に燃料電池１０２が短期間で起動及び停止を繰り返し燃料電池１０２の寿命が低下することを防ぐことができる。
【００６２】
商用電源５１の復電により商用電源５１からの交流電力Ｐａｃが再び利用できるようになった場合（ステップＳ１１）、電圧測定器２０は、蓄電池１０３の充電を許可してもよい（ステップＳ１６）。これにより、整流電力Ｐｄｃによって蓄電池１０３を充電できるので、燃料電池１０２が起動していても（時刻Ｔｄ〜Ｔｅ）、燃料電池１０２が過負荷状態になることを防ぎつつ、蓄電池１０３を充電することができる。
【００６３】
一実施形態において、直流電源システム１は、通常時は商用電源５１からの電力供給を受けて負荷１０４に電力を供給するバックアップ用直流電源システムであってよい。かかるバックアップ用直流電源システムは、出力電圧を可変不能かつ定格出力が通常時の負荷１０４の消費電力Ｐｌｏａｄよりわずかに大きい燃料電池１０２と、整流器１０１と、電池電圧Ｖｂｔ及びＳＯＣを検出可能な蓄電池１０３と、燃料電池１０２、整流器１０１、蓄電池１０３及び負荷１０４が接続されるバスＢのバス電圧Ｖｂｕｓを測定する電圧測定器２０と、電圧測定器２０から電圧情報を取得して蓄電池１０３及び燃料電池１０２に指令を行う制御装置１０とを備えてよい。
【００６４】
蓄電池１０３は、電池電圧Ｖｂｔがバス電圧Ｖｂｕｓより高い場合は（ステップＳ６：ＮＯ）放電を実施し（ステップＳ８）、蓄電池１０３がバス電圧Ｖｂｕｓより低い場合は（ステップＳ６：ＹＥＳ）充電もしくは待機を選択できてよい（ステップＳ７、Ｓ１６）。
【００６５】
制御装置１０は、電圧測定器２０で測定した電圧情報を基に商用電源５１から電力供給が行われる通常状態と停電状態のどちらであるかを判断し（ステップＳ２）、停電状態の場合は（ステップＳ２：ＹＥＳ）燃料電池１０２に対して起動信号を送信してもよい（ステップＳ５）。
【００６６】
制御装置１０は、停電状態と判断した場合に（ステップＳ２：ＹＥＳ）蓄電池１０３に対して充電停止信号を送信してよい（ステップＳ７）。
【００６７】
制御装置１０は、停電状態と判定した時刻（時刻Ｔｂ（停電が発生した時刻Ｔａでもよい））から復電までの期間を記録し、復電時に、記録した期間が所定期間Ｔを超えた場合に（ステップＳ１２：ＹＥＳ）燃料電池１０２に対して停止信号を送信し（ステップＳ１３）、記録した期間が所定期間Ｔに満たない場合は（ステップＳ１２：ＮＯ）、所定期間Ｔを越えた後に燃料電池１０２に対して停止信号を送信してもよい（ステップＳ１３）。
【００６８】
制御装置１０は、蓄電池１０３よりＳＯＣを受信し、通常時の商用電源５１から整流器１０１に電力が供給される際に蓄電池１０３に充電指令を送信してもよい（ステップＳ１６）。
【００６９】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００７０】
例えば、本発明の一実施の形態における制御装置１０は、これまで説明した制御装置１０の処理を行うコンピュータとして機能してもよい。図７は、本実施形態に係る制御装置１０のハードウェア構成の一例を示す図である。上述の制御装置１０は、物理的には、プロセッサ１００１、メモリ１００２、ストレージ１００３、通信装置１００４、入力装置１００５、出力装置１００６、バス１００７などを含むコンピュータ装置として構成されてもよい。
【００７１】
なお、以下の説明では、「装置」という文言は、回路、デバイス、ユニットなどに読み替えることができる。制御装置１０のハードウェア構成は、図に示した各装置を１つ又は複数含むように構成されてもよいし、一部の装置を含まずに構成されてもよい。
【００７２】
制御装置１０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００７３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の演算部２０２などは、プロセッサ１００１で実現されてもよい。
【００７４】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、制御装置１０の演算部２０２は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７５】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００７６】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７７】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の制御装置信号受信部２０１、制御装置信号送信部２０３などは、通信装置１００４で実現されてもよい。
【００７８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
また、プロセッサ１００１やメモリ１００２などの各装置は、情報を通信するためのバス１００７で接続される。バス１００７は、単一のバスで構成されてもよいし、装置間で異なるバスで構成されてもよい。
【００７９】
また、制御装置１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８０】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００８１】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８３】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８４】
なお、本明細書で説明した用語及び／又は本明細書の理解に必要な用語については、同一の又は類似する意味を有する用語と置き換えてもよい。
【００８５】
本明細書で使用する「システム」および「ネットワーク」という用語は、互換的に使用される。
【００８６】
本明細書で使用する「判断(judging)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００８７】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００８８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８９】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００９０】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００９１】
本明細書において、文脈または技術的に明らかに1つのみしか存在しない装置である場合以外は、複数の装置をも含むものとする。
【００９２】
本開示の全体において、文脈から明らかに単数を示したものではなければ、複数のものを含むものとする。
【符号の説明】
【００９３】
１…直流電源システム、１０…制御装置、２０…電圧測定器、５１…商用電源、１０１…整流器、１０２…燃料電池、１０３…蓄電池、１０４…負荷、Ｂ…バス。
【図１】
2019201481.tif 000003
【図２】
2019201481.tif 000004
【図３】
2019201481.tif 000005
【図４】
2019201481.tif 000006
【図５】
2019201481.tif 000007
【図６】
2019201481.tif 000008
【図７】
2019201481.tif 000009
【図８】
2019201481.tif 000010
【図９】
2019201481.tif 000011